(57)【要約】【課題】施設利用者に負担をかけることなく施設利用料金を確実に受け取ることが可能な施設利用料金受取方法を提供すること。【解決手段】無線通信媒体と通信し、この無線通信媒体に付随する金額データから施設利用料金を受け取る施設利用料金受取方法であって、施設利用者が検知され（ＳＴ２０２）、且つ無線通信媒体と通信できなかった場合（ＳＴ２０３、ＮＯ）、所定のタイミングで撮影された施設利用者の映像を出力する（ＳＴ２０７、ＳＴ２０８）。【選択図】　　　　　図８
2004126775.tif 000002
【特許請求の範囲】
【請求項１】
施設利用者を撮影する撮影手段と、
施設利用者を検知する検知手段と、
無線通信媒体と通信する通信手段と、
前記通信手段により無線通信媒体と通信し、この無線通信媒体に付随する金額データから施設利用料金を受け取るデータ処理手段と、
前記検知手段により施設利用者が検知され、且つ前記通信手段により無線通信媒体と通信できなかった場合、前記撮影手段により所定のタイミングで撮影された施設利用者の映像を出力する出力手段と、
を備えたことを特徴とする施設利用料金受取システム。
【請求項２】
施設利用者を撮影する撮影手段と、
施設利用者を検知する検知手段と、
無線通信媒体と通信する通信手段と、
前記通信手段により無線通信媒体と通信し、この無線通信媒体に付随する金額データから施設利用料金を受け取るデータ処理手段と、
前記検知手段により施設利用者が検知され、且つ前記データ処理手段により正規の施設利用料金を受け取れなかった場合、前記撮影手段により所定のタイミングで撮影された施設利用者の映像を出力する出力手段と、
を備えたことを特徴とする施設利用料金受取システム。
【請求項３】
前記データ処理手段は、施設利用料金の受取に対応してポイントを加算することを特徴とする請求項１又は２に記載の施設利用料金受取システム。
【請求項４】
前記通信手段は、アンテナを備えたアーチ式ゲートであることを特徴とする請求項１又は２に記載の施設利用料金受取システム。
【請求項５】
無線通信媒体と通信し、この無線通信媒体に付随する金額データから施設利用料金を受け取る施設利用料金受取方法であって、
施設利用者が検知され、且つ無線通信媒体と通信できなかった場合、所定のタイミングで撮影された施設利用者の映像を出力する、
ことを特徴とする施設利用料金受取方法。
【請求項６】
無線通信媒体と通信し、この無線通信媒体に付随する金額データから施設利用料金を受け取る施設利用料金受取方法であって、
施設利用者が検知され、且つ正規の施設利用料金を受け取れなかった場合、所定のタイミングで撮影された施設利用者の映像を出力する、
ことを特徴とする施設利用料金受取方法。
【請求項７】
施設の入場口に設置された第１のゲート、又は前記施設を取り囲むエリアの出場口に設置された第２のゲートと無線通信媒体とが無線通信し、施設利用料金を受け取る施設利用料金受取方法であって、
第１のゲートと無線通信媒体とが無線通信し、この無線通信媒体に付随する金額データから施設利用料金を引き去り、新たな金額データに更新し、
第２のゲートと無線通信媒体とが無線通信し、この無線通信媒体に付随する金額データをチェックし、施設利用料金の未払いが判明したとき、施設利用料金の精算を要求する、
ことを特徴とする施設利用料金受取方法。
【発明の詳細な説明】
【０００１】
【発明の属する技術分野】
この発明は、遊園地内の施設（乗り物など）の利用料金を受け取る施設利用料金受取システム及び施設利用料金受取方法に関する。
【０００２】
【従来の技術】
遊園地内の施設（乗り物など）の利用料金は、例えば、次のようにして受け取られている。遊園地内の施設利用チケットを現金で購入してもらう。或いは、遊園地入場チケット及び施設利用チケットのセットを現金で購入してもらう。或いは、遊園地内の各施設に配置された係員に、施設利用料金を現金で支払ってもらう。
【０００３】
遊園地内の各施設に配置された係員は、施設利用チケット又は現金を受け取り、施設の利用を許可する。或いは、遊園地内の各施設に設置された改札機にチケットを投入してもらい、施設の利用を許可する。チケットを持たない者が、施設を利用しようとして、改札通路を通過しようとすると、改札機のゲートが閉じて、施設への侵入が阻止される。
また、リピータ向けや期間限定の割引などの特典を付与する場合には、割引券などの印刷物を配布するようにしている。
【０００４】
【発明が解決しようとする課題】
施設利用チケットにより施設を利用してもらう場合、施設利用の度に施設利用チケットを提示してもらう必要があり、施設利用者にとってチケットの出し入れ作業が負担となっている。また、現金により施設を利用してもらう場合も同様に、施設利用の度に現金の出し入れ作業が必要となっている。
【０００５】
係員が、施設利用チケット又は施設利用代金を受け取る場合には、各施設に係員を配備する必要があり、その人件費が問題となっている。また改札機が施設利用チケットを受け取る場合には、改札機付近で入場待ちの行列ができるなどの問題もある。
【０００６】
改札機は、チケットを持たずに誤って進入してしまった者に対しても容赦なくゲートを閉じる。このため、誤って進入してしまった者に対して抵抗感や不快感を与えている。誤って進入してしまった者が子供の場合には、ゲートにより怪我をするおそれもある。
割引券などの印刷物は、要望しない人にも配布されることがあり、資源の無駄となる。
【０００７】
この発明の目的は、上記したような事情に鑑み成されたものであって、施設利用者に負担をかけることなく施設利用料金を確実に受け取ることが可能な施設利用料金受取システム及び施設利用料金受取方法を提供することにある。
【０００８】
【課題を解決するための手段】
上記課題を解決し目的を達成するために、この発明の施設利用料金受取システム及び施設利用料金受取方法は、以下のように構成されている。
【０００９】
（１）この発明の施設利用料金受取システムは、施設利用者を撮影する撮影手段と、施設利用者を検知する検知手段と、無線通信媒体と通信する通信手段と、前記通信手段により無線通信媒体と通信し、この無線通信媒体に付随する金額データから施設利用料金を受け取るデータ処理手段と、前記検知手段により施設利用者が検知され、且つ前記通信手段により無線通信媒体と通信できなかった場合、前記撮影手段により所定のタイミングで撮影された施設利用者の映像を出力する出力手段とを備えている。
【００１０】
（２）この発明は、無線通信媒体と通信し、この無線通信媒体に付随する金額データから施設利用料金を受け取る施設利用料金受取方法であって、施設利用者が検知され、且つ無線通信媒体と通信できなかった場合、所定のタイミングで撮影された施設利用者の映像を出力する。
【００１１】
【発明の実施の形態】
以下、本発明の実施形態について、図面を用いて詳細に説明する。
【００１２】
図１は、本発明の一実施の形態に係る施設料金受取システムの概略を説明するための図である。施設料金受取システムシステムでは、例えば施設内への入場時に客が支払った金額に対応した金額データが付随された無線カードを発行する。客は、この無線カードを利用して、各施設を利用することができる。各施設には、アーチ式ゲートが設置されており、客が所持する無線カードとアーチ式ゲートとの間で通信が行なわれ、施設の利用に応じた料金が、無線カードに付随した金額データから差し引かれる。
【００１３】
図１に示すように、施設料金受取システムシステムは、無線カード１、無線カード発行機２、金額積み増し機３、アーチ式ゲート４、サーバ５、遊園地構内ネットワーク（ＬＡＮ）６を備えている。
【００１４】
無線カード発行機２は、例えば遊園地の入口に設置され、客からの代金投入に対応して、投入された代金に対応した金額データが付随された無線カード１を発行する。代金が付随された無線カード１とは、例えば次のようなカードである。一つは、無線カード１のメモリに金額データが保持されるタイプのカードである。もう一つは、無線カード１のメモリにはＩＤ情報が記憶され、実際の金額データはサーバ５で管理されるタイプのカードである。サーバ５は、ＩＤ情報と金額データとを対応付けて管理する。正規に遊園地に入場する客は、各人が無線カード１を１枚持つことになる。
【００１５】
金額積み増し機３は、遊園地内の各所に設置され、客からの代金投入に対応して無線カード１に付随する金額データを増額する。アーチ式ゲート４は、遊園地入口や遊園地内の各施設入口に設置され、無線カード１と料金引去りのための通信を行う。サーバ５は、各種データを管理する。例えば、上記したように、ＩＤ情報と金額データとを対応付けて管理する。遊園地構内ネットワーク６は、無線カード発行機２、金額積み増し機３、アーチ式ゲート４、及びサーバ５を接続する。
【００１６】
無線カード１は、カードを一意に特定するためのＩＤ情報を格納するデータ記憶領域を実装する。また、無線カード１は、オプション（システム実装形態により異なる）として、客がチャージした金額データを格納するデータ記憶領域、スピーカ（不正通過時に音を発する機能）を実装する。
【００１７】
システム実装形態としては、例えば、（１）客がチャージして利用可能な金額データを無線カード内に保存する実装形態（実装１）と、（２）客がチャージして利用可能な金額データをサーバ内に保存する実装形態（実装２）、の二通りがある。上記オプション（金額データ格納領域、スピーカ）は実装１で使用する。
【００１８】
アーチ式ゲート４は、バーのように人の通過を物理的に妨げる機能は実装せず、物理的には自由に通行が可能な形状となっている。図４に示すように、アーチ式ゲート４は、アンテナ４１、人感センサ４２、カメラ装置４３、スピーカ装置４４（オプション）、データ処理ユニット４５（オプション）、及びネットワーク（ＬＡＮ）インターフェース４６などを備えている。アンテナ４１は、無線カード１を検知し、無線カード１と通信を行う。人感センサ４２は、客の通過を検知する。カメラ装置４３は、客を撮影するものであり、不正通過時に通過した人物の画像情報をキャプチャする。ネットワーク（ＬＡＮ）インターフェース４５は、サーバ５などと通信する。スピーカ装置４４は、実装２において、不正通過時に音声で注意を促す。データ処理ユニット４５は、実装１において、カードに記憶された金額データから施設利用料金の受取処理を実行する。即ち、カードの金額データから施設利用料金を引き去り、カードの金額データを更新する。ネットワーク（ＬＡＮ）インターフェース４６は、サーバ５と通信する。
【００１９】
サーバ５は、無線カード発行機２、金額積み増し機３、及びアーチ式ゲート４と通信して、無線カード発行管理データ、客（無線カード１）のゲート通過履歴、各無線カード１に対しチャージされている金額データなどの各種データを保存するデータベース５ａを格納する。
【００２０】
図２に示すように、無線カード発行機２は、ビルメカ２１、コインメカ２２、カード発行ユニット２３、カード処理ユニット２４、表示装置２５、入力装置２６、及びネットワーク（ＬＡＮ）インターフェース２７などを備えている。ビルメカ２１は、客から投入される紙幣を取り扱う。コインメカ２２は、客から投入される硬貨を取り扱う。カード発行ユニット２３は、客からの現金投入に対応して無線カードを発行する。カード処理ユニット２４は、無線カードの取込み、無線カード内の情報への読み取り／書き込みアクセス、無線カードの排出の一連動作を行う。表示装置２５は、客に操作を指示する。入力装置２６は、操作用の釦またはタッチパネル等を備え、客からの各種入力を受け付ける。ネットワーク（ＬＡＮ）インターフェース２７は、サーバ５と通信する。
【００２１】
図３に示すように、金額積み増し機３は、ビルメカ３１、コインメカ３２、カード処理ユニット３４、表示装置３５、入力装置３６、及びネットワーク（ＬＡＮ）インターフェース３７などを備えている。ビルメカ３１は、客から投入される紙幣を取り扱う。コインメカ３２は、客から投入される硬貨を取り扱う。カード処理ユニット３４は、無線カードの取込み、無線カード内の情報への読み取り／書き込みアクセス、無線カードの排出の一連動作を行う。表示装置３５は、客に操作を指示する。入力装置３６は、操作用の釦またはタッチパネル等を備え、客からの各種入力を受け付ける。ネットワーク（ＬＡＮ）インターフェース３７は、サーバ５と通信する。
【００２２】
続いて、無線カード１による施設利用方法について説明する。図５は、客が無線カードを入手し遊園地に入場するところから、各施設利用時に実行される料金引去り処理を説明するためのフローチャートである。
【００２３】
まず、遊園地入口に設置されている無線カード発行機２により、客が投入した金額が付随された無線カード１が発行される（ＳＴ１）。無線カード１の発行処理の詳細は図６及び図７に示す通りである。これら図６及び図７に示す無線カード１の発行処理については後に詳しく説明する。
【００２４】
客は、発行された無線カード１を受け取り、遊園地内に入場する。遊園地の入場口には、アーチ式ゲート４が設置されている。無線カード１を所持した客が、遊園地の入場口に設置されたアーチ式ゲート４を通過すると、無線カード１に付随した金額データから入場料金が差し引かれる（ＳＴ２）。また、また、遊園地内の各施設の入口にもアーチ式ゲート４が設置されている。無線カード１を所持した客が、遊園地内の施設の入口に設置されたアーチ式ゲート４を通過すると、無線カード１に付随した金額データから施設利用料金が差し引かれる（ＳＴ２）。つまり、無線カード１を所持した客がアーチ式ゲート４を通過する度に、金額データから入場料金又は施設利用料金が差し引かれる（ａ）。アーチ式ゲート４による料金引去り処理の詳細は図８及び図９に示す通りである。これら図８及び図９に示す料金引去り処理ついては後に詳しく説明する。
【００２５】
引去り処理が何度か行なわれ、金額の積み増しを行う必要がある場合は、客は、金額積み増し機３を利用して無線カード１に付随する金額データの追加を要求する。これに対応して、金額積み増し機３により無線カード１に付随する金額データを追加する金額の積み増し処理が実行される（ＳＴ３）。金額積み増し機３による積み増し処理の詳細は図１０及び図１１に示す通りである。これら図１０及び図１１に示す積み増し処理については後に詳しく説明する。
【００２６】
金額の積み増しを行わない場合（ｄ）、積み増し処理を受けずに、遊園地から出場することもできる（ＳＴ４）。金額の積み増し後（ＳＴ３）、再び施設を利用する場合は（ｂ）、再びアーチ式ゲート４を通過し、アーチ式ゲート４による料金引去り処理を受けることになる（ＳＴ２）。遊園地からの出場時には、無線カード１を返却して精算するか、無線カード１を携帯したまま出場し次回来場時にその無線カード１を利用するという使い方が可能である。無線カード１を携帯したまま出場する場合は、入場時と同様、アーチ式ゲート４を通過させる。無線カード１に付随した金額データがマイナスの場合には、警備スタッフに通報する。或いは無線カード１に付随した金額データがマイナスの場合には、出場口で精算してもらう。無線カード１を携帯して出場した場合、次回来場時に残額があれば、無線カードの発行処理（ＳＴ１）を省略して入場することが可能である（ｃ）。
【００２７】
次に、図６及び図７を参照して、無線カード１の発行処理の詳細を説明する。図６は、金額データが記憶された無線カードの発行処理を示すフローチャートである（実装１）。一方、図７は、ＩＤ情報及び金額データがサーバに記憶され、サーバに記憶された金額データとリンクするためのＩＤ情報が記憶された無線カードの発行処理を示すフローチャートである（実装２）。
【００２８】
まず、図６のフローチャートについて説明する。客は、お金を無線カード発行機２に投入して（ＳＴ１１１）、釦等の入力装置により無線カードの発行要求を行い（ＳＴ１１２）、無線カードが発行されるまで待機する（ＳＴ１１３）。無線カード発行機２は、無線カードの発行要求を受けるまで待機状態であり（ＳＴ１２１）、無線カードの発行要求を受けると、発行する無線カードのＩＤ情報をサーバ５に送信し（ＳＴ１２２ａ）、ＩＤ情報の登録を要求する。サーバ５は、無線カードのＩＤ情報の登録要求を受けるまで待機状態であり（ＳＴ１３１）、無線カードのＩＤ情報の登録要求を受けると、発行する無線カードのＩＤ情報をデータベース５ａに登録し（ＳＴ１３２ｂ）、待機状態に戻る（ＳＴ１３３）。無線カード発行機２は、発行する無線カードのＩＤ情報をサーバ５に送信した後（ＳＴ１２２ａ）、カード処理ユニットにより金額データを無線カードに書き込み（ＳＴ１２３）、無線カードを排出し（ＳＴ１２４）、待機状態に戻る（ＳＴ１２５）。客は発行された無線カードを受け取る（ＳＴ１１４）。
【００２９】
続いて、図７のフローチャートについて説明する。客は、お金を無線カード発行機２に投入して（ＳＴ１１１）、釦等の入力装置により無線カードの発行要求を行い（ＳＴ１１２）、無線カードが発行されるまで待機する（ＳＴ１１３）。無線カード発行機２は、無線カードの発行要求を受けるまで待機状態であり（ＳＴ１２１）、無線カードの発行要求を受けると、発行する無線カードのＩＤ情報と金額データをサーバ５に送信し（ＳＴ１２２ｂ）、ＩＤ情報と金額データの登録を要求する。サーバ５は、無線カードのＩＤ情報と金額データの登録要求を受けるまで待機状態であり（ＳＴ１３１）、無線カードのＩＤ情報と金額データの登録要求を受けると、発行する無線カードのＩＤ情報と金額データをデータベース５ａに登録し（ＳＴ１３２ｂ）、待機状態に戻る（ＳＴ１３３）。無線カード発行機２は、発行する無線カードのＩＤ情報と金額データをサーバ５に送信した後（ＳＴ１２２ｂ）、無線カードを排出し（ＳＴ１２４）、待機状態に戻る（ＳＴ１２５）。客は発行された無線カードを受け取る（ＳＴ１１４）。
【００３０】
次に、図８及び図９を参照して、アーチ式ゲート４による料金引去り処理の詳細を説明する。図８は、金額データが記憶された無線カードからの料金引去り処理を示すフローチャートである（実装１）。一方、図９は、ＩＤ情報及び金額データがサーバに記憶され、サーバに記憶された金額データとリンクするためのＩＤ情報が記憶された無線カードからの料金引去り処理を示すフローチャートである（実装２）。
【００３１】
まず、図８のフローチャートについて説明する。アーチ式ゲート４による入場改札処理のスタートに伴い、アーチ式ゲート４のカメラ装置４３は撮影を開始する。つまり、カメラ装置４３は、アーチ式ゲート４から施設へ入場しようとする客の撮影を開始する。また、アーチ式ゲート４の人感センサ４２は、客の通過を検知するまで待機状態となる（ＳＴ２０１）。この人感センサ４２とアンテナ４１の連動により、無線カード１を所有した客の入場か否かを検出する。つまり、客がアーチ式ゲート４を通過すると（ＳＴ２０２）、人感センサ４２により客の通過が検知される。このとき、アンテナ４１により、客が携帯する無線カード１が検知できれば（ＳＴ２０３、ＹＥＳ）、無線カード１を所有した客の入場であると判断できる。
【００３２】
アンテナ４１は、無線カード１から各種情報を受信する。データ処理ユニット４５は、アンテナ４１により受信された無線カード１の情報から、無線カード１の残額をチェックしたり、後述する料金の引去り処理を実行したりする。無線カード１に残額があることが判明すれば（ＳＴ２０４、ＹＥＳ）、料金の引去り処理が行なわれる。つまり、無線カード１に記憶された金額データから施設利用料金が差し引かれ、無線カード１に記憶された金額データが更新される（ＳＴ２０５ａ）。無線カード１に記憶された金額データより施設利用料金が大きい場合、つまり無線カード１の残額不足の場合には、例えば、料金の引去り処理により無線カード１に記憶される金額データはマイナスのデータとなる。このとき、アーチ式ゲート４のスピーカ装置４４により、残額不足及び金額チャージの催促が通知される（ＳＴ２０５ａ）。料金の引去り処理により、無線カード１に記憶される金額データがゼロになった場合は、例えば、アーチ式ゲート４のスピーカ装置４４により、残額ゼロ及び金額チャージの催促が通知される（ＳＴ２０５ａ）。料金の引去り処理が実行された後、ゲート通過日時データ及び無線カードのＩＤ情報が、遊園地構内ネットワーク６を経由して利用履歴としてサーバ５に登録される。
【００３３】
人感センサ４２により客の通過が検知され、アンテナ４１により客が携帯する無線カード１が検知できなければ（ＳＴ２０３、ＮＯ）、無線カード１を所有しない客、つまり不正な入場であると判断できる。この場合、カメラ装置４３は、所定のタイミングで撮影された映像をキャプチャするとともに（ＳＴ２０７）、スピーカ装置より警告音声を発する。キャプチャされた映像は、遊園地構内ネットワーク６を経由して不正入場者情報としてサーバ５に登録される。警備スタッフは、サーバ５に登録された不正入場者情報を見ることにより、不正入場者をチェックすることができる。また、人感センサ４２により客の通過が検知され、アンテナ４１により客が携帯する無線カード１が検知されても、無線カード１の残額がマイナスの場合や、無線カード１の残額がマイナスでなくても残額不足の場合には、不正な入場と判断して、無線カードを所有しない客の入場と同様の処理をするようにしてもよい。
【００３４】
続いて、図９のフローチャートについて説明する。アーチ式ゲート４による入場改札処理のスタートに伴い、アーチ式ゲート４のカメラ装置４３は撮影を開始する。つまり、カメラ装置４３は、アーチ式ゲート４から施設へ入場しようとする客の撮影を開始する。また、アーチ式ゲート４の人感センサ４２は、客の通過を検知するまで待機状態となる（ＳＴ２０１）。この人感センサ４２とアンテナ４１の連動により、無線カード１を所有した客の入場か否かを検出する。つまり、客がアーチ式ゲート４を通過すると（ＳＴ２０２）、人感センサ４２により客の通過が検知される。このとき、アンテナ４１により、客が携帯する無線カード１が検知できれば（ＳＴ２０３、ＹＥＳ）、無線カード１を所有した客の入場であると判断できる。
【００３５】
アンテナ４１は、無線カード１から各種情報を受信する。データ処理ユニット４５は、アンテナ４１により受信された無線カード１の情報からＩＤ情報を読み出す。ネットワーク（ＬＡＮ）インターフェース４６は、無線カード１から得られたＩＤ情報を、遊園地構内ネットワーク６を経由してサーバ５に送信する。サーバ５には、無線カードのＩＤ情報と金額データとがデータベース５ａに登録されている。即ち、サーバ５は、アーチ式ゲート４から送信されるＩＤ情報に基づき、このＩＤ情報に対応する金額データを特定する。ここで特定された金額データが、無線カード１の残額である。無線カード１に残額があることが判明すれば（ＳＴ２０４、ＹＥＳ）、料金の引去り処理が行なわれる。つまり、アーチ式ゲート４からサーバ５に対して金額データの更新が要求され（ＳＴ２０５ｂ）、サーバ５は、データベース５ａ内で特定された金額データから施設利用料金を差し引き、特定された金額データを更新する（ＳＴ２０６ｂ）。特定された金額データより施設利用料金が大きい場合、つまり無線カード１の残額不足の場合には、例えば、料金の引去り処理によりサーバ５のデータベース５ａ内で特定された金額データはマイナスのデータとなる。このとき、アーチ式ゲート４のスピーカ装置４４により、残額不足及び金額チャージの催促が通知される（ＳＴ２０６ｂ）。料金の引去り処理により、無線カード１に記憶される金額データがゼロになった場合は、例えば、アーチ式ゲート４のスピーカ装置４４により、残額ゼロ及び金額チャージの催促が通知される（ＳＴ２０５ａ）。料金の引去り処理が実行された後、ゲート通過日時データ及び無線カードのＩＤ情報が、利用履歴としてサーバ５に登録される。
【００３６】
人感センサ４２により客の通過が検知され、アンテナ４１により客が携帯する無線カード１が検知できなければ（ＳＴ２０３、ＮＯ）、無線カード１を所有しない客、つまり不正な入場であると判断できる。この場合、カメラ装置４３は、所定のタイミングで撮影された映像をキャプチャするとともに（ＳＴ２０７）、スピーカ装置より警告音声を発する。キャプチャされた映像は、遊園地構内ネットワーク６を経由して不正入場者情報としてサーバ５に登録される。警備スタッフは、サーバ５に登録された不正入場者情報を見ることにより、不正入場者をチェックすることができる。また、人感センサ４２により客の通過が検知され、アンテナ４１により客が携帯する無線カード１が検知されても、無線カード１の残額がマイナスの場合や、無線カード１の残額がマイナスでなくても残額不足の場合には、不正な入場と判断して、無線カードを所有しない客の入場と同様の処理をするようにしてもよい。
【００３７】
また、遊園地の出場口に、金額積み増し機３、アーチ式ゲート４、及びサーバ５を設置し、客が出場する際に無線カード１に付随する金額データをチェックし、施設利用料金の未払いが判明したとき、施設利用料金の精算を要求するようにしてもよい。具体的に言うと、客が遊園地を出場する際に、アーチ式ゲート４から出場してもらうようにする。このとき、客が携帯する無線カード１とアーチ式ゲート４とが無線通信し、無線カード１に付随する金額データがチェックされる。チェック結果は、アーチ式ゲート４で出力するようにしてもよいし、サーバ５で出力するようにしてもよい。チェック結果に応じて、金額積み増し機３での精算が要求される。客は、金額積み増し機３で、施設利用料金の未払いを精算することができる。
【００３８】
次に、図１０及び図１１を参照して、金額積み増し機３による積み増し処理の詳細を説明する。図１０は、金額データが記憶された無線カードに対する積み増し処理を示すフローチャートである（実装１）。一方、図１１は、ＩＤ情報及び金額データがサーバに記憶され、サーバに記憶された金額データとリンクするためのＩＤ情報が記憶された無線カードに対する積み増し処理を示すフローチャートである（実装２）。
【００３９】
まず、図１０のフローチャートについて説明する。金額積み増し機３は、園内各所に設置されている。客は、金額積み増し機３を利用して、無線カード１ヘのチャージ金額を積み増しできる。まず、客は、金額積み増し機３のカード処理ユニット３４の挿入口に対して無線カード１を投入する（ＳＴ３０１）。金額積み増し機３は無線カード１が投入されてくるまで待機状態であり（ＳＴ３１１）、無線カード１が投入されてくると、投入された無線カード１から金額データ（残額）を読み出し表示装置３５に表示する（ＳＴ３１２ａ）。さらに、金額積み増し機３は、現金投入を催促するメッセージを表示装置３５に表示する（ＳＴ３１３）。客は、釦等を押下して金額積み増しを要求し（ＳＴ３０２）、チャージしたい金額分の現金を投入する（ＳＴ３０３）。
【００４０】
金額積み増し機３は、客から投入される現金を受け取ると、カード処理ユニット３４より無線カード１内の金額データを更新し（ＳＴ３１４ａ）、無線カード１を排出し（ＳＴ３１５）、待機状態に戻る（ＳＴ３１６）。客が、排出されたカードを受け取れば（ＳＴ３０４）、金額チャージが完了する。無線カード１の金額データ（残額）が表示装置３５に表示された時点（ＳＴ３１２ａ）で、客が釦等を押下してカード排出を要求することにより、金額積み増し機３を残額照会用途で使用することも可能である。
【００４１】
続いて、図１１のフローチャートについて説明する。まず、客は、金額積み増し機３のカード処理ユニット３４の挿入口に対して無線カード１を投入する（ＳＴ３０１）。金額積み増し機３は無線カード１が投入されてくるまで待機状態であり（ＳＴ３１１）、無線カード１が投入されてくると、投入された無線カード１からＩＤ情報を読み出しサーバ５に通知する。サーバ５には、無線カードのＩＤ情報と金額データとがデータベース５ａに登録されている。即ち、サーバ５は、金額積み増し機３から送信されるＩＤ情報に基づき、このＩＤ情報に対応する金額データを特定することができる。ここで特定された金額データが、無線カード１の残額である。サーバ５は、特定した金額データを金額積み増し機３に通知する（ＳＴ３２１）。金額積み増し機３は、サーバ５から通知された金額データを表示装置３５に表示する（ＳＴ３１２ｂ）。続いて、金額積み増し機３は、現金投入を催促するメッセージを表示装置３５に表示する（ＳＴ３１３）。客は、釦等を押下して金額積み増しを要求し（ＳＴ３０２）、チャージしたい金額分の現金を投入する（ＳＴ３０３）。
【００４２】
金額積み増し機３は、客から投入される現金を受け取ると、サーバ５に対して受け取った金額及び金額データの更新要求を通知する（ＳＴ３１４ｂ）。サーバ５は、受け取った金額及び金額データの更新要求の通知に対応して、データベース５ａに登録されている特定した金額データを更新し（ＳＴ３２２）。更新完了を通知する。更新完了の通知を受けた金額積み増し機３は、無線カード１を排出し（ＳＴ３１５）、待機状態に戻る（ＳＴ３１６）。客が、排出されたカードを受け取れば（ＳＴ３０４）、金額チャージが完了する。無線カード１の金額データ（残額）が表示装置３５に表示された時点（ＳＴ３１２ｂ）で、客が釦等を押下してカード排出を要求することにより、金額積み増し機３を残額照会用途で使用することも可能である。
【００４３】
以上が、施設料金受取の基本的な処理手順である。上記の基本的な機能をもとに、本システムを利用することにより次のようなサービスの提供が可能である。
【００４４】
（１）サーバに登録されている利用履歴データをもとに、その利用実績に応じて、無線カード単位でチャージ金額アップや料金割引等の特典付与を行うことができる。特典付与の処理は、金額積み増し機３による積み増し処理と並行して実行することができる。例えば、金額積み増し機３が、無線カード１に付随された金額データを読み込む際に、サーバ５と通信して特典ポイントに相当する金額の情報を表示し、特典ポイントに相当する金額を無線カード１に付随された金額データに加える。
【００４５】
（２）サーバ５をインターネットに接続しておき、無線カード１発行時に、客に会員としてメールアドレス登録を行ってもらう。これにより、特典付与やイベント開催等の情報をサーバ５からメール配信するサービスも可能である。
【００４６】
ここで、上記説明したこの発明の効果について、従来の問題点と照らし合わせてまとめる。
（１）従来、入場料と別に施設毎にお金を払ったり、入場時に買ったチケットを出し入れしたりする必要があり煩わしいという問題があった。この発明のシステムによれば、施設の料金収受は金額のチャージされた無線カードを携帯しながらゲートを通過するだけで自動的に行われるため、客にとって手軽である。
（２）従来、料金徴収（チケット購入など）やゲート通過のため施設の入口で行列になりやすいという問題があった。この発明のシステムによれば、料金徴収のための時間が短縮され、またゲートで立ち止まる必要がないため、行列が緩和される効果が期待できる。
（３）従来、園内の施設毎にチケット（または料金徴収）をチェックするための係員の配置が必要であった。この発明のシステムによれば、各施設入口に係員を配置する必要がなくなり料金徴収の省力化が図られる。
（４）従来、割引などの特典付与の際、割引券など紙に印刷したものを作成する必要があった。この発明のシステムによれば、サーバ５に登録された利用履歴データをもとに、無線カード毎に直接特典を付与することができ、きめ細かいサービス提供ができる。
（５）従来、ゲートにてバー（障害物）で遮られることは、客にとっては抵抗感があり、心理的に入りづらさを感じさせる要因となっていた。この発明のシステムによれば、ゲートをアーチ式（アーチ式ゲート４）として障害物をなくすことにより客にゲートを意識させず、抵抗感を解消できる。
（６）従来、遊園地内の施設の場合、料金未払いで入場した人物に対して、後から料金を請求するのは困難であった。この発明のシステムによれば、不正通過が検知されたとき、所定のタイミングで撮影された映像をサーバ５（警備スタッフ側）に送信することにより、後から出口で対応することが可能となる。
【００４７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００４８】
【発明の効果】
この発明によれば、施設利用者に負担をかけることなく施設利用料金を確実に受け取ることが可能な施設利用料金受取システム及び施設利用料金受取方法を提供できる。
【図面の簡単な説明】
【図１】本発明の一実施の形態に係る施設料金受取システムの概略を説明するための図である。
【図２】図１に示す無線カード発行機の概略構成を示すブロック図である。
【図３】図１に示す金額積み増し機の概略構成を示すブロック図である。
【図４】図１に示すアーチ式ゲートの概略構成を示すブロック図である。
【図５】客が無線カードを入手し遊園地に入場するところから、各施設利用時に実行される料金引去り処理を説明するためのフローチャートである。
【図６】金額データが記憶された無線カードの発行処理を示すフローチャートである。
【図７】ＩＤ情報及び金額データがサーバに記憶され、サーバに記憶された金額データとリンクするためのＩＤ情報が記憶された無線カードの発行処理を示すフローチャートである。
【図８】金額データが記憶された無線カードからの料金引去り処理を示すフローチャートである。
【図９】ＩＤ情報及び金額データがサーバに記憶され、サーバに記憶された金額データとリンクするためのＩＤ情報が記憶された無線カードからの料金引去り処理を示すフローチャートである。
【図１０】金額データが記憶された無線カードに対する積み増し処理を示すフローチャートである。
【図１１】ＩＤ情報及び金額データがサーバに記憶され、サーバに記憶された金額データとリンクするためのＩＤ情報が記憶された無線カードに対する積み増し処理を示すフローチャートである。
【符号の説明】
１…無線カード、２…無線カード発行機、３…金額積み増し機、４…アーチ式ゲート、５…サーバ、６…遊園地構内ネットワーク（ＬＡＮ）、２１…ビルメカ、２２…コインメカ、２３…カード発行ユニット、２４…カード処理ユニット、２５…表示装置、２６…入力装置、２７…ネットワーク（ＬＡＮ）インターフェース、３１…ビルメカ、３２…コインメカ、３４…カード処理ユニット、３５…表示装置、３６…入力装置、３７…ネットワーク（ＬＡＮ）インターフェース、４１…アンテナ、４２…人感センサ、４３…カメラ装置、４４…スピーカ装置、４５…データ処理ユニット、４６…ネットワーク（ＬＡＮ）インターフェース
【図１】
2004126775.tif 000003
【図２】
2004126775.tif 000004
【図３】
2004126775.tif 000005
【図４】
2004126775.tif 000006
【図５】
2004126775.tif 000007
【図６】
2004126775.tif 000008
【図７】
2004126775.tif 000009
【図８】
2004126775.tif 000010
【図９】
2004126775.tif 000011
【図１０】
2004126775.tif 000012
【図１１】
2004126775.tif 000013